【手続補正書】
【提出日】平成24年2月23日(2012.2.23)
【手続補正１】
【補正対象書類名】特許請求の範囲
【補正対象項目名】全文
【補正方法】変更
【補正の内容】
【特許請求の範囲】
【請求項１】
方法であって、
シーケンス・パラメータ・セット（「ＳＰＳ」）ネットワーク抽象化層（「ＮＡＬ」）ユニットからの情報にアクセスする工程であって、前記情報が、画像系列内の画像の第１の層の符号化の復号化に使用するためのパラメータを表す工程と、
前記ＳＰＳ  ＮＡＬユニットのＮＡＬユニット・タイプ符号とは別のＮＡＬユニット・タイプ符号を有し、前記ＳＰＳ  ＮＡＬユニットとは別の構文構造を有する補助ＳＰＳ  ＮＡＬユニットからの補助情報にアクセスする工程であって、前記補助ＳＰＳ  ＮＡＬユニットからの前記補助情報は、前記画像系列内の画像の第２の層の符号化の復号化に使用するためのパラメータを表す工程と、
前記ＳＰＳ  ＮＡＬユニットからのアクセスされた情報、及び前記補助ＳＰＳ  ＮＡＬユニットからのアクセスされた補助情報それぞれに基づいて前記第１の層の符号化及び前記第２の層の符号化を復号化する工程とを含む方法。
【請求項２】
請求項１記載の方法であって、
前記ＳＰＳ  ＮＡＬユニットは、Ｈ．２６４／ＭＰＥＧ−４ＡＶＣ標準又は関係する標準に準拠し、
前記補助ＳＰＳ  ＮＡＬユニットは、Ｈ．２６４／ＭＰＥＧ−４ＡＶＣ標準又は関係する標準のスケーラブルなビデオ符号化（「ＳＶＣ」）拡張に準拠する方法。
【請求項３】
請求項２記載の方法であって、補助ＳＰＳ  ＮＡＬユニットは専用のＮＡＬユニット・タイプを有し、前記標準はそれにより、前記補助ＳＰＳ  ＮＡＬユニット・タイプを有するＮＡＬユニットをＡＶＣ復号化器が無視することを可能にし、前記補助ＳＰＳ  ＮＡＬユニット・タイプを有するＮＡＬユニットに応じてＳＶＣ復号化器が動作することを必要とすることにより、ＡＶＣ復号化器とＳＶＣ復号化器との間と互換性を可能にする方法。
【請求項４】
請求項１記載の方法であって、前記補助ＳＰＳ  ＮＡＬユニットの構文は層依存性パラメータを定める方法。
【請求項５】
請求項１記載の方法であって、前記補助ＳＰＳ  ＮＡＬユニットは、少なくとも１つの層の層依存性情報を含む方法。
【請求項６】
請求項１記載の方法であって、前記第２の層の符号化の復号化に使用するためのパラメータはビデオ有用性情報（「ＶＵＩ」）パラメータを含む方法。
【請求項７】
請求項１記載の方法であって、前記第２の層の符号化の復号化に使用するためのパラメータは仮想参照復号化器（「ＨＲＤ」）パラメータを含む方法。
【請求項８】
請求項１記載の方法であって、
前記ＳＰＳ  ＮＡＬユニットは、Ｈ．２６４／ＭＰＥＧ−４  ＡＶＣ標準又は関連した標準におけるＳＰＳ  ＮＡＬユニットに準拠し、
前記補助ＳＰＳ  ＮＡＬユニットは、Ｈ．２６４／ＭＰＥＧ−４  ＡＶＣ標準又は関連した標準のＳＶＣ拡張におけるサブセットＳＰＳ  ＮＡＬユニットに準拠する方法。
【請求項９】
請求項１記載の方法であって、前記補助ＳＰＳ  ＮＡＬユニットは、前記補助ＳＰＳ  ＮＡＬユニットにおいて受信された情報に応じて復号化器が動作することが必要な標準に準拠する方法。
【請求項１０】
請求項１記載の方法であって、前記第１の層の符号化は、空間レベル、品質レベル及び時間レベルのうちの１つ又は複数について、前記第２の層の符号化とは異なるレベルを有する方法。
【請求項１１】
請求項１記載の方法であって、前記ＳＰＳ  ＮＡＬユニットからの情報及び前記補助ＳＰＳ  ＮＡＬユニットからの情報は、伝送チャネルを介して受信されたビットストリームからアクセスされる方法。
【請求項１２】
請求項１記載の方法であって、前記ＳＰＳ  ＮＡＬユニットからの情報へのアクセス、前記補助ＳＰＳ  ＮＡＬユニットからの情報へのアクセス、及び前記復号化の生成は、復号化器で行われる方法。
【請求項１３】
請求項１記載の方法であって、前記ＳＰＳ  ＮＡＬユニットからの情報へのアクセス、前記補助ＳＰＳ  ＮＡＬユニットからの情報へのアクセス、及び復号化は、符号化器で行われる方法。
【請求項１４】
装置であって、
少なくとも、シーケンス・パラメータ・セット（「ＳＰＳ」）ネットワーク抽象化層（「ＮＡＬ」）ユニットからの情報にアクセスする機能であって、前記情報が、画像系列内の画像の第１の層の符号化の復号化に使用するためのパラメータを表す機能と、
前記ＳＰＳ  ＮＡＬユニットのＮＡＬユニット・タイプ符号とは別のＮＡＬユニット・タイプ符号を有し、前記ＳＰＳ  ＮＡＬユニットとは別の構文構造を有する補助ＳＰＳ  ＮＡＬユニットからの補助情報にアクセスする機能であって、前記補助ＳＰＳ  ＮＡＬユニットからの前記補助情報は、前記画像系列内の画像の第２の層の符号化の復号化に使用するためのパラメータを表す機能と、
前記ＳＰＳ  ＮＡＬユニットからのアクセスされた情報、及び前記補助ＳＰＳ  ＮＡＬユニットからのアクセスされた補助情報それぞれに基づいて前記第１の層の符号化及び前記第２の層の符号化を復号化する機能
を行うための、プロセッサ読み取り可能な媒体上に記憶された命令を含むプロセッサ読み取り可能な媒体を備える装置。
【請求項１５】
装置であって、
シーケンス・パラメータ・セット（「ＳＰＳ」）ネットワーク抽象化層（「ＮＡＬ」）ユニットからの情報にアクセスする手段であって、前記情報が、画像系列内の画像の第１の層の符号化の復号化に使用するためのパラメータを表わす手段と、
前記ＳＰＳ  ＮＡＬユニットのＮＡＬユニット・タイプ符号とは別のＮＡＬユニット・タイプ符号を有し、前記ＳＰＳ  ＮＡＬユニットとは別の構文構造を有する補助ＳＰＳ  ＮＡＬユニットからの補助情報にアクセスする手段であって、前記補助ＳＰＳ  ＮＡＬユニットからの補助情報は、前記画像系列内の画像の第２の層の符号化の復号化に使用するためのパラメータを表す手段と、前記ＳＰＳ  ＮＡＬユニットからのアクセスされた情報、及び前記補助ＳＰＳ  ＮＡＬユニットからのアクセスされた補助情報それぞれに基づいて前記第１の層の符号化及び前記第２の層の符号化を復号化する手段と
を備える装置。
【請求項１６】
装置であって、
シーケンス・パラメータ・セット（「ＳＰＳ」）ネットワーク抽象化層（「ＮＡＬ」）ユニットからの情報にアクセスする機能であって、画像の系列内の画像の第１の層の符号化の復号化において使用するためのパラメータを表す機能と、
前記ＳＰＳ  ＮＡＬユニットのＮＡＬユニット・タイプとは別のＮＡＬユニット・タイプ符号を有し、前記ＳＰＳ  ＮＡＬユニットとは別の構文構造を有する補助ＳＰＳ  ＮＡＬユニットからの補助情報にアクセスする機能であって、前記補助ＳＰＳ  ＮＡＬユニットからの前記補助情報は、前記画像系列内の画像の第２の層の符号化の復号化に使用するためのパラメータを表す機能と、
前記ＳＰＳ  ＮＡＬユニットからのアクセスされた情報、及び前記補助ＳＰＳ  ＮＡＬユニットからのアクセスされた補助情報それぞれに基づいて前記第１の層の符号化及び前記第２の層の符号化を復号化する機能と
を実行するよう構成されたプロセッサを備えた装置。
【請求項１７】
請求項１６記載の装置であって、ビデオ・データを記憶するメモリを更に備える装置。
【請求項１８】
装置であって、
シーケンス・パラメータ・セット（「ＳＰＳ」）ネットワーク抽象化層（「ＮＡＬ」）ユニットからの情報にアクセスし、前記情報が、画像系列内の画像の第１の層の符号化の復号化に使用するためのパラメータを表わし、前記ＳＰＳ  ＮＡＬユニットのＮＡＬユニット・タイプ符号とは別のＮＡＬユニット・タイプ符号を有し、前記ＳＰＳ  ＮＡＬユニットとは別の構文構造を有する補助ＳＰＳ  ＮＡＬユニットからの補助情報にアクセスするよう構成された解析ユニットであって、前記補助ＳＰＳ  ＮＡＬユニットからの前記補助情報は、前記画像系列内の画像の第２の層の符号化の復号化に使用するためのパラメータを表す解析ユニットと、
前記ＳＰＳ  ＮＡＬユニットからのアクセスされた補助情報を使用して前記第１の層の符号化を復号化し、前記補助ＳＰＳ  ＮＡＬユニットからのアクセスされた補助情報を使用して前記第２の層の符号化を復号化し、前記第１の層の符号化の復号化、及び前記第２の層の符号化の復号化のうちの１つ又は複数に基づいて前記画像系列内の画像の再構成を生成するよう構成された復号化器とを備える装置。
【請求項１９】
請求項１記載の方法であって、前記ＳＰＳ  ＮＡＬユニットは、Ｈ．２６４／ＭＰＥＧ−４  ＡＶＣ標準又は関連した標準におけるＳＰＳ  ＮＡＬユニットに実質的に準拠する方法。
【請求項２０】
請求項１記載の方法であって、
前記画像の前記第２の層の符号化の復号化において使用するための前記パラメータは、スケーラブル・ビデオ符号化（「ＳＶＣ」）ビデオ有用性情報（「ＶＵＩ」）パラメータを含み、
前記別の構文構造は、前記ＳＶＣ  ＶＵＩパラメータが前記画像の前記第２の層の符号化に適用される旨を示す時間、依存性、及び品質の指標を含む前記補助情報に反映される方法。
【請求項２１】
請求項２０記載の方法であって、
前記ＳＰＳ  ＮＡＬユニットは、Ｈ．２６４／ＭＰＥＧ−４  ＡＶＣ標準又は関連した標準におけるＳＰＳ  ＮＡＬユニットに実質的に準拠する方法。
【請求項２２】
請求項１４記載の装置であって、
前記画像の前記第２の層の符号化の復号化において使用するための前記パラメータは、スケーラブル・ビデオ符号化（「ＳＶＣ」）ビデオ有用性情報（「ＶＵＩ」）パラメータを含み、
前記別の構文構造は、前記ＳＶＣ  ＶＵＩパラメータが前記画像の前記第２の層の符号化に適用される旨を示す時間、依存性、及び品質の指標を含む前記補助情報に反映される装置。
【請求項２３】
請求項２２記載の装置であって、
前記ＳＰＳ  ＮＡＬユニットは、Ｈ．２６４／ＭＰＥＧ−４  ＡＶＣ標準又は関連した標準におけるＳＰＳ  ＮＡＬユニットに実質的に準拠する装置。
【請求項２４】
請求項１５記載の装置であって、
前記画像の前記第２の層の符号化の復号化において使用するための前記パラメータは、スケーラブル・ビデオ符号化（「ＳＶＣ」）ビデオ有用性情報（「ＶＵＩ」）パラメータを含み、
前記別の構文構造は、前記ＳＶＣ  ＶＵＩパラメータが前記画像の前記第２の層の符号化に適用される旨を示す時間、依存性、及び品質の指標を含む前記補助情報に反映される装置。
【請求項２５】
請求項２４記載の装置であって、
前記ＳＰＳ  ＮＡＬユニットは、Ｈ．２６４／ＭＰＥＧ−４  ＡＶＣ標準又は関連した標準におけるＳＰＳ  ＮＡＬユニットに実質的に準拠する装置。
【請求項２６】
請求項１６記載の装置であって、
前記画像の前記第２の層の符号化の復号化において使用するための前記パラメータは、スケーラブル・ビデオ符号化（「ＳＶＣ」）ビデオ有用性情報（「ＶＵＩ」）パラメータを含み、
前記別の構文構造は、前記ＳＶＣ  ＶＵＩパラメータが前記画像の前記第２の層の符号化に適用される旨を示す時間、依存性、及び品質の指標を含む前記補助情報に反映される装置。
【請求項２７】
請求項２６記載の装置であって、
前記ＳＰＳ  ＮＡＬユニットは、Ｈ．２６４／ＭＰＥＧ−４  ＡＶＣ標準又は関連した標準におけるＳＰＳ  ＮＡＬユニットに実質的に準拠する装置。
【請求項２８】
請求項１８記載の装置であって、
前記画像の前記第２の層の符号化の復号化において使用するための前記パラメータは、スケーラブル・ビデオ符号化（「ＳＶＣ」）ビデオ有用性情報（「ＶＵＩ」）パラメータを含み、
前記別の構文構造は、前記ＳＶＣ  ＶＵＩパラメータが前記画像の前記第２の層の符号化に適用される旨を示す時間、依存性、及び品質の指標を含む前記補助情報に反映される装置。
【請求項２９】
請求項２８記載の装置であって、
前記ＳＰＳ  ＮＡＬユニットは、Ｈ．２６４／ＭＰＥＧ−４  ＡＶＣ標準又は関連した標準におけるＳＰＳ  ＮＡＬユニットに実質的に準拠する装置。
【請求項３０】
請求項１記載の方法であって、
前記ＳＰＳ  ＮＡＬユニットからの前記情報によって表される前記パラメータは、前記第２の層の符号化を復号化するためにも必要である方法。